(57)【特許請求の範囲】
【請求項１】
同一ベンゼン環に二個あるいは二個以上の水酸基が水素原子と置換されている化合物及びその配糖体から選ばれる少なくとも１種のポリフェノールおよび酸剤とを含有する液状混合物を含む消臭剤成分Ａと、アルカリ剤と水性溶媒とを含む消臭剤成分Ｂとからなることを特徴とする二液型消臭剤。
【請求項２】
同一ベンゼン環に二個あるいは二個以上の水酸基が水素原子と置換されている化合物及びその配糖体から選ばれる少なくとも１種のポリフェノールおよび酸剤とを含有する液状混合物を含む第１の消臭剤成分Ａと、アルカリ剤と水性溶媒とを含む第２の消臭剤成分Ｂとからなることを特徴とする二液型消臭剤。
【請求項３】
同一ベンゼン環に二個あるいは二個以上の水酸基が水素原子と置換されている化合物及びその配糖体から選ばれる少なくとも１種のポリフェノール含量が消臭剤成分Ａに対して１０−７〜１０質量％である請求項１又は２記載の二液型消臭剤。
【請求項４】
酸剤が、グリコール酸、乳酸、グリセリン酸、酒石酸、クエン酸、アスコルビン酸、リンゴ酸、コハク酸、フマル酸、アジピン酸、酸性アミノ酸、塩化カリウム−塩酸緩衝剤、フタル酸水素カリウム−水素化ナトリウム緩衝剤、クエン酸ナトリウム−水酸化ナトリウム緩衝剤からなる群から選ばれる１種又は２種以上であることを特徴とする請求項１又は２記載の二液型消臭剤。
【請求項５】
消臭剤成分ＡのｐＨが２〜６である請求項１又は２記載の二液型消臭剤。
【請求項６】
請求項１〜５のいずれか１項記載の二液型消臭剤を悪臭源に適用することを特徴とする消臭方法。
【請求項７】
同一ベンゼン環に二個あるいは二個以上の水酸基が水素原子と置換されている化合物及びその配糖体から選ばれる少なくとも１種のポリフェノールおよび酸剤を含有する液状混合物を含む第１の消臭剤成分Ａを悪臭源に適用し、次いでアルカリ剤と水性溶媒とを含む第２の消臭剤成分Ｂを悪臭源に適用することを特徴とする請求項６記載の消臭方法。
【請求項８】
二つの消臭剤成分収納容器の少なくとも一部が相互に一体的に成形・結合され、しかも前記一方の消臭剤成分収納容器に同一ベンゼン環に二個あるいは二個以上の水酸基が水素原子と置換されている化合物及びその配糖体から選ばれる少なくとも１種のポリフェノールおよび酸剤とを含有する液状混合物を含む消臭剤成分Ａが収納され、かつ他方の消臭剤成分収納容器にアルカリ剤と水性溶媒とを含む消臭剤成分Ｂが収納されていることを特徴とする二液型消臭製品。
【請求項９】
二つの消臭剤成分収納容器の少なくとも一部が相互に一体的に成形・結合され、しかも前記一方の消臭剤成分収納容器に同一ベンゼン環に二個あるいは二個以上の水酸基が水素原子と置換されている化合物及びその配糖体から選ばれる少なくとも１種のポリフェノールおよび酸剤とを含有する液状混合物を含む消臭剤成分Ａが収納され、かつ他方の消臭剤成分収納容器にアルカリ剤と水性溶媒とを含む消臭剤成分Ｂが収納されており、かつ消臭剤成分Ａの出口から出る消臭剤成分Ａと、消臭剤成分Ｂの出口から出る消臭剤成分Ｂが、それぞれの出口付近にて相互に混合される構造を備えることを特徴とする請求項８記載の二液型消臭製品。
【発明の詳細な説明】
【技術分野】
【０００１】
本発明は、安定性に優れ、しかも複数の悪臭成分を含む悪臭を消臭する効果の高い二液型消臭剤に関する。より詳しくは、安定性に優れ、しかも含硫黄化合物、アルデヒド類、低級脂肪酸類、アミン類等の中の少なくとも２種あるいは３種以上が入り混じった混合型悪臭を効率よく消臭することができる二液型消臭剤に関し、特に、ポリフェノール及び有機酸を有効成分として含有する消臭剤成分Ａと、アルカリと水性溶媒とを含む消臭剤成分Ｂとからなる二液型消臭剤及び消臭製品に関する。また、それらを用いた消臭方法に関する。さらに、本発明は、トイレ臭、生ごみ臭、糞尿臭、動物臭などの含硫黄化合物、アルデヒド類、低級脂肪酸類、アミン類等が入り混じった混合型悪臭を緩和する効果が高く、安定性に優れた二液型液体消臭剤に関する。
【背景技術】
【０００２】
近年、生活の多様化、生活程度の向上、意識の変化・向上などに伴い、身の周りの様々な点に注意が向けられるようになった。その一つに、悪臭の存在がある。例えば台所で発生する臭い、トイレで発生する臭い、汗臭や口臭などのほか、愛玩動物が発する臭い、産業廃棄物からの臭い、人の毛髪をパーマネント処理したり、染毛処理したりするときに発生する臭い、魚などの食用生物を冷蔵庫などの保存機器内に保存したときに発生する臭いなどを悪臭を例示できる。人が生活するうえでどうしてもこれら悪臭から回避することができない。そこで、臭いを感じないようにする所謂マスキングする技術や悪臭成分を補足する所謂消臭技術など、悪臭への対処法も盛んに研究されている。
一方、従来から、悪臭成分の解析が行われ、臭い成分として、含硫黄化合物、アルデヒド類、低級脂肪酸類、各種アミン等が報告されている。それら臭い成分は、上記のような色々な悪臭により異なるのであり、しかも、それら悪臭は、例えば含硫黄化合物に属する臭い成分からなる悪臭など比較的単純なものから、例えば、含硫黄化合物、アルデヒド類、低級脂肪酸、及び各種アミン等に属する化合物が種々の割合で含まれている、多数の臭い成分から構成される悪臭まで知られている。例えば、野菜、卵、家畜由来の肉、魚介類などに因る生ごみ臭は硫化水素、メチルメルカプタン、トリメチルアミン、アンモニア、低級脂肪酸などの悪臭の混合臭であり、動物の排泄物に因るトイレ臭はアンモニア、メチルメルカプタン、硫化水素、インドールなどの悪臭の混合臭であり、タバコ臭はアンモニア、酢酸、アセトアルデヒド、ピリジン、硫化水素などの悪臭の混合臭であり、人の体臭はアンモニア、酢酸、イソ吉草酸、ノネナールなどの悪臭の混合臭であることが知られている。すなわち、前記悪臭への対処法としては、前記のような、多数の臭い成分から構成される複雑な悪臭への対処法が好ましいことがわかる。
【０００３】
前記消臭剤として、植物抽出物から構成される消臭剤が報告されている（特許文献１、特許文献２など）。それらの消臭剤は天然物由来であるから人に優しいという特徴があるものの、消臭効果という点においては満足できるほど十分ということができない。
その点を改める消臭剤組成物として、ポリフェノールとアルカリ成分とを反応させた有色物質を消臭剤有効成分とする技術が報告されている（特許文献３）。この消臭剤組成物は消臭効果が優れているものの、有効成分が有色物質であるという理由から、消臭剤組成物を使用する態様が制限されるという不都合さがある。
【０００４】
一方、複数の悪臭成分を含む悪臭の消臭技術としては、酸性臭気とアルカリ性臭気とを同時に消臭するよう、アルカリ剤を含有する消臭液と酸剤を含む消臭剤を別個に収納する消臭剤が報告されている（特許文献４）。その消臭剤は、別個に収納されたアルカリ剤を含有する消臭液と酸剤を含む消臭剤のそれぞれが個別に揮散され、酸性臭気とアルカリ性臭気の両方を同時に消臭するものであり、いわば揮散性消臭剤といえるものであって、それぞれの消臭剤を悪臭源に適用する消臭剤ではない。前記消臭剤はそれなりの効果をもたらすものの、十分な消臭効果を達成できたとはいえず、改善される余地が残されている。
【０００５】
【特許文献１】特開平９−２９００１４号公報
【特許文献２】特開平９−２９００２６号公報
【特許文献３】特開２００４−１６７２１８号公報
【特許文献４】特開２００３−１０２８１９号公報
【発明の開示】
【発明が解決しようとする課題】
【０００６】
そこで、本発明の課題は、安定性に優れ、しかも含硫黄化合物、アルデヒド類、低級脂肪酸類、アミン類等の中の少なくとも２種あるいは３種以上が入り混じった混合型悪臭を効率よく消臭することができる消臭剤を提供することにある。また、本発明の消臭剤は、前記特性を有するほか、とくに悪臭源に適用して消臭効果を発揮させる消臭剤を提供することにある。
【課題を解決するための手段】
【０００７】
本発明者らは上記課題を解決するべく鋭意研究する最中、ポリフェノールに有機酸を配合し酸性下に保つ消臭剤成分Ａと、アルカリ成分からなる消臭剤成分Ｂとからなる二液型消臭剤を悪臭源に適用すると、意外にも、含硫黄化合物、アルデヒド類、低級脂肪酸類、アミン類等が入り混じった混合型悪臭を有効的に消臭することができるという知見を得た。この知見に基づき、更に研究を重ね、従来の消臭剤よりも消臭効果が優れた消臭剤に到達し、本発明を完成させた。
【０００８】
本発明は次のとおりである。
請求項１の発明は、同一ベンゼン環に二個あるいは二個以上の水酸基が水素原子と置換されている化合物及びその配糖体から選ばれる少なくとも１種のポリフェノールおよび酸剤とを含有する液状混合物を含む消臭剤成分Ａと、アルカリ剤と水性溶媒とを含む消臭剤成分Ｂとからなる二液型消臭剤である。前記成分Ａには水性溶媒を共存させることが有利であるが、必ずしも必要ではない。また、前記液状混合物は、粘度が極めて高い混合物も含まれる。
【０００９】
請求項２の発明は、同一ベンゼン環に二個あるいは二個以上の水酸基が水素原子と置換されている化合物及びその配糖体から選ばれる少なくとも１種のポリフェノールおよび酸剤とを含有する液状混合物を含む第１の消臭剤成分Ａと、アルカリ剤と水性溶媒とを含む第２の消臭剤成分Ｂとからなる二液型消臭剤である。ここで、第１の消臭剤成分とは、悪臭源に適用する最初の消臭剤成分を意味し、第２の消臭剤成分とは、前記適用した消臭剤成分に引き続き悪臭源に適用する２番目の消臭剤成分を意味する。
請求項３の発明は、請求項１又は２記載の発明において、同一ベンゼン環に二個あるいは二個以上の水酸基が水素原子と置換されている化合物及びその配糖体から選ばれる少なくとも１種のポリフェノール含量が１０−７〜５質量％であることを特徴とし、請求項４の発明は、同じく請求項１又は２記載の発明において、酸剤が、グリコール酸、乳酸、グリセリン酸、酒石酸、クエン酸、アスコルビン酸、リンゴ酸、コハク酸、フマル酸、アジピン酸、酸性アミノ酸からなる群から選ばれる１種又は２種以上であることを特徴とし、請求項５の発明は、請求項１又は２記載の発明において、消臭剤成分ＡのｐＨが２〜６であることを特徴とする。
請求項６の発明は、請求項１〜５のいずれか１項記載の二液型消臭剤を悪臭源に適用することを特徴とする消臭方法の発明である。その発明において、同一ベンゼン環に二個あるいは二個以上の水酸基が水素原子と置換されている化合物及びその配糖体から選ばれる少なくとも１種のポリフェノールおよび酸剤とからなる液状混合物を含む消臭剤成分Ａを悪臭源に最初に適用し、次いでアルカリ剤と水性溶媒とを含む消臭剤成分Ｂを悪臭源に適用することを特徴とする発明が請求項７の発明である。
【００１０】
請求項８の発明は、二つの消臭剤成分収納容器の少なくとも一部が相互に一体的に成形・結合され、しかも前記一方の消臭剤成分収納容器に同一ベンゼン環に二個あるいは二個以上の水酸基が水素原子と置換されている化合物及びその配糖体から選ばれる少なくとも１種のポリフェノールおよび酸剤とを含有する液状混合物を含む消臭剤成分が収納され、かつ他方の消臭剤成分収納容器にアルカリ剤と水性溶媒とが収納されていることを特徴とする二液型消臭製品の発明である。
【００１１】
その 収容容器には、消臭剤成分Ａの出口から出る消臭剤成分Ａと、消臭剤成分Ｂの出口から出る消臭剤成分Ｂが、それぞれの出口付近にて相互に混合される構造を備えることを特徴とする発明が請求項９の発明である。前記出口付近にて相互に混合される構造とは、消臭剤成分Ａ及び消臭剤成分Ｂがそれぞれの出口から出た直後あるいは出る直前に相互に混合されるような構造を意味する。ここで、消臭剤成分Ａ及び消臭剤成分Ｂが部分的に混合されるときも相互に混合されることになる。すなわち、本発明は、消臭剤成分Ａと消臭剤成分Ｂとをそれぞれ別個に収納部内に収納しておき、消臭機能を発揮させたいと希望するときに前記消臭剤成分Ａと消臭剤成分Ｂとを収納部から取り出し、合一させ、悪臭源に適用することを特徴とする消臭方法の発明でもある。なお、これら二つの発明では、消臭剤成分Ａと消臭剤成分Ｂとが合一し、混合したときに、ｐＨはアルカリ性を示すように前記成分Ａ及び成分Ｂを構成する成分の種類及び使用量などを調整しておくことが好ましい。
【発明の効果】
【００１２】
本発明により、安定性に優れ、しかも含硫黄化合物、アルデヒド類、低級脂肪酸類、アミン類等の中の少なくとも２種あるいは３種以上が入り混じった混合型悪臭を効率よく消臭することができる二液型消臭剤を提供できる。仮に酸とアルカリとの両方を含有する消臭剤は、その消臭剤中で酸・アルカリ中和反応を起こしてしまい、消臭機能を発揮させたいと希望するときには、消臭効果を発揮できにくくなり、さらには消臭効果が失われてしまうことにも繋がる。また、ポリフェノールはアルカリ溶液中では不安定であり保存に適さないが、消臭機能を効果的に発揮させるためにはアルカリ側に保つ必要がある。これらの困難な点を本発明は解決したのである。
とくに、ポリフェノールおよび酸剤とを含有する液状混合物を含む第１の消臭剤成分Ａと、アルカリ剤と水性溶媒とを含む第２の消臭剤成分Ｂとからなる二液型消臭剤を用意し、その第１の消臭剤成分Ａを最初に悪臭源に適用し、次に第２の消臭剤成分Ｂを悪臭源に適用すると、前記混合型悪臭を効率よく消臭することができる。  
また、本発明の消臭剤は、ポリフェノールおよび酸剤とを含有する保存安定性が向上した液状混合物を含む消臭剤成分Ａと、アルカリ剤と水性溶媒とを含む消臭剤成分Ｂとをそれぞれ別個に収納部内に収納しておき、消臭機能を発揮させたいと希望するときに前記消臭剤成分Ａと消臭剤成分Ｂとを収納部から取り出し、合一させる二液型消臭剤でもあるから、安定性、特に保存安定性、及び消臭機能が優れた二液型消臭剤を提供することもできる。さらに、この二液型消臭剤は操作性も優れているといえる。  
本発明はこれらの消臭剤成分Ａと消臭剤成分Ｂとを収納容器に別個に収納する二液型消臭製品でもある。
【発明を実施するための最良の形態】
【００１３】
以下、本発明について詳細に説明する。
本発明における二液型消臭剤で使用されるポリフェノールについて説明する。
本発明で使用されるポリフェノールは、所期の目的を達成できるポリフェノールである限りとくに限定されない。
詳細には、本発明で使用されるポリフェノールとは、同一ベンゼン環に二個あるいは二個以上の水酸基が水素原子と置換されている化合物を意味し、その配糖体もポリフェノールとして含む。その中でも、ヒドロキノンおよびｏ−ジフェノール構造を有するポリフェノールが好ましい。なお、ｏ−ジフェノール構造とはベンゼン環に直接水酸基が置換されており、しかもその水酸基が隣接しているときの構造を意味する。
【００１４】
ポリフェノールの具体例としては、例えば、アピゲニン、アピゲニン配糖体、アカセチン、イソラムネチン、イソラムネチン配糖体、イソクエルシトリン、エピカテキン、エピカテキンガレート、エピガロカテキン、エピガロカテキンガレート、エスキュレチン、エチルプロトカテキュ酸塩、エラグ酸、カテコール、ガンマ酸、カテキン、ガルデニン、ガロカテキン、カフェ酸、カフェ酸エステル、クロロゲン酸、ケンフェロール、ケンフェロール配糖体、ケルセチン、ケルセチン配糖体、ケルセタゲニン、ゲニセチン、ゲニセチン配糖体、ゴシペチン、ゴシペチン配糖体、ゴシポール、４−ジヒドロキシアントラキノン、１，４−ジヒドロキシナフタレン、シアニジン、シアニジン配糖体、シネンセチン、ジオスメチン、ジオスメチン配糖体、３，４’−ジフェニルジオール、シナピン酸、ステアリル−β−（３，５−ジ−ｔ−ブチル−４−ヒドロキシフェニル）プロピオネート、スピナセチン、タンゲレチン、タキシホリン、タンニン酸、ダフネチン、チロシン、デルフィニジン、デルフィニジン配糖体、テアフラビン、テアフラビンモノガレート、テアフラビンビスガレート、トリセチニジン、ドーパ、ドーパミン、ナリンゲニン、ナリンジン、ノルジヒドログアヤレチック酸、ノルアドレナリン、ヒドロキノン、バニリン、パチュレチン、ハーバセチン、バニリルアルコール、バニトロープ、バニリンプロピレングリコールアセタール、バニリン酸、ビス（４−ヒドロキシフェニル）スルホン酸、ビスフェノールＡ、ピロカテコール、ビテキシン、４，４’−ビフェニルジオール、４−ｔ−ブチルカテコール、２−ｔ−ブチルヒドロキノン、プロトカテキュ酸、フロログルシノール、フェノール樹脂、プロシアニジン、プロデルフィニジン、フロレチン、フロレチン配糖体、フィゼチン、フォリン、フェルバセチン、フラクセチン、フロリジン、ペオニジン、ペオニジン配糖体、ペルオルゴニジン、ペルアグゴニジン配糖体、ペチュニジン、ペチュニジン配糖体、ヘスペレチン、ヘスペレジン、没食子酸、没食子酸エステル（没食子酸ラウリル、没食子酸プロピル、没食子酸ブチル）、マンジフェリン、マルビジン、マルビジン配糖体、ミリセチン、ミリセチン配糖体、２，２’−メチレンビス（４−メチル−６−ｔ−ブチルフェノール）、２，２’−メチレンビス（４−エチル−６−ｔ−ブチルフェノール）、２，２’−メチレンビス（４−メチル−６−ｔ−ブチルフェノール）、２，２’−メチレンビス（４−エチル−６−ｔ−ブチルフェノール）、メチルアトラレート、４−メチルカテコール、５−メチルカテコール、４−メトキシカテコール、５−メトキシカテコール、メチルカテコール−４−カルボン酸、２−メチルレゾルシノール、５−メチルレゾルシノール、モリン、リグニン、リモシトリン、リモシトリン配糖体、リモシトロール、ルテオリン、ルテオリン配糖体、ルテオリニジン、ルテオリニジン配糖体、ルチン、レゾルシン、レスベラトロール、レゾルシノール、ロイコシアニジン、ロイコデルフィニジンなどがあげられる。
【００１５】
これらのポリフェノールの中でも、ケルセチン、エピカテキン、および、エピガロカテキン等のフラボノイド類及びそれらの配糖体、没食子酸、没食子酸エステル、クロロゲン酸、カフェ酸、カフェ酸エステル、タンニン酸、ピロカテコール、ノルジヒドログアイアレクチック酸、Ｌ−ドーパ、４−メチルカテコール、５−メチルカテコール、４−メトキシカテコール、５−メトキシカテコール等のｏ−ジフェノール構造を有するポリフェノール、および、ヒドロキノンが特に好ましい。
これらのポリフェノールは、それぞれ単独で用いてもよいし、２種以上混合して用いてもよい。
また、上記ポリフェノールは、公知の方法により調製できるが、市販品を購入してもよい。また、合成により調製してもよい。さらには、植物から調製したポリフェノール画分を使用することもできる。
【００１６】
本発明では、ポリフェノールの代わりに、含ポリフェノール植物抽出物を使用することもできる。この植物抽出物は公知の方法により調製されたものを使用してもよいし、また市販のものを使用してもよい。
【００１７】
前記植物抽出物の例としては、例えば、アロエ、アニスシード、エルダー、エレウテロコック、オオバコ、オレンジフラワー、オールスパイス、オレガノ、カノコソウ、カモミル、カプシカムペッパー、カルダモン、カシア、ガーリック、キャラウエイシード、クローブ、クミンシード、コーラ、コリアンダーシード、五倍子、サフラン、サンショウ、ジュニパーベリー、シナモン、ジンジャー、スター・アニス、セント・ジョーンズ・ウオルト、セロリーシード、セイボリー、セサミ（ゴマ）、ダイオウ、タラゴン、ターメリック、チィスル、デイルシード、ナツメグ、ネットル、ハイビスカス、ハマメリス、バーチ、バジル、ビター・オレンジ、フェンネル、プリムローズ、フェヌグリーク、ベルベナ、ベイローレル、ホップ、ボルドー、ホースラデイッシュ、ポピーシード、没食子、マリーゴールド、マロー、マジョラム、マスタード、ミルフォイル、ミントリーブス、メリッサ、メース、リンデン、リンドウ、ローズヒップ、ローズマリー、マンネンロウ、ひまわり種子、ブドウ果皮、リンゴ、ニンジン葉、バナナ、イチゴ、アンズ、モモ、プラム、パイナップル、ナシ、カキ、サクランボ、パパイヤ、マンゴー、アボガド、メロン、ビワ、イチジク、キウイ、プルーン、ブルーベリー、ブラックベリー、ラスベリー、ツルコケモモ、コーヒー豆、カカオ豆、ブドウ種子、グレープフルーツ種子、ペカンナッツ、カシューナッツ、クリ、ココナッツ、ピーナツ、クルミ、緑茶葉、紅茶葉、ウーロン茶葉、タバコ、シソ葉、ニワタイム、セージ、ラベンダー、スペアミント、ペパーミント、サントリソウ、ヒソップ、メボウキ、マリーゴールド、タンポポ、アーチチョーク、ドイツカミルレ、キンミズヒキ、カンゾウ、アニス、ノコギリソウ、ユーカリ、ワームウッド、香油、シシウド、コロハ、シシトウガラシ、ウイキョウ、トウガラシ、コエンドロ種子、ヒメウイキョウ種子、ウイキョウ種子、ショウガ、西洋ワサビ、マヨラナ、ハナハッカ、カラシ、パセリ、コショウ、セイヴォリー、タラゴン、ウコン、ワサビ、イノンド種子、柑橘果実などから常法により抽出処理して得られる植物抽出物があげられる。これらの植物抽出物を単独、あるいは複数の植物抽出物を組み合わせて使用してもよい。
なお、ポリフェノール化合物と、含ポリフェノール植物抽出物とを併用してもよい。
【００１８】
次に、本発明の消臭剤成分Ａで使用される酸剤について説明する。
本発明で使用される酸剤は、所期の目的を達成できる酸剤である限りとくに限定されない。
酸剤の具体例としては、例えば、グリコール酸、グリセリン酸、酒石酸、クエン酸、アスコルビン酸、リンゴ酸、コハク酸、フマル酸、アジピン酸、酸性アミノ酸、塩化カリウム−塩酸緩衝剤、フタル酸水素カリウム−水素化ナトリウム緩衝剤、クエン酸ナトリウム−水酸化ナトリウム緩衝剤などからなる群から選ばれる１種又は２種以上を挙げることができる。前記酸性アミノ酸として、アスパラギン酸、グルタミン酸などを例示できる。
【００１９】
本発明の消臭剤成分Ａは、上記ポリフェノール及び酸剤とを必須の成分とする。また、上記ポリフェノール及び酸剤に、さらに、水性溶媒などの溶媒を含むことができ、液状混合物とすることができる。望ましい溶媒としては、エタノール、イソプロパノール、プロピレングリコール、ジエチレングリコール、ジプロピレングリコール、グリセリンが挙げられる。また、本発明では、精製水、イオン交換水、純水なども水性溶媒とする。
前記液状混合物は、粘度が極めて高い混合物も含まれる。例えば、樹脂製チューブ状容器内に収納され、必要に応じて容器を押圧して内容物を取り出すような混合物も含まれる。
【００２０】
本発明の消臭剤成分においてポリフェノールの含有量は、使用するポリフェノールにより前後するが、含硫化合物を効率よく消臭するために、消臭剤成分Ａ全量に対して、１０−７〜２０質量％、好ましくは１０−６〜１０質量％とし、さらに１０−６〜５質量％とすることが望ましい。また、酸剤の含有量は、使用する酸剤により前後するが、当該消臭剤成分Ａ全量に対して、０．００１〜２０質量％、好ましくは０．０１〜１０質量％とすることが望ましい。前記範囲よりもポリフェノールや酸剤が少ないときには消臭効果が十分ではなく、前記範囲よりも多い時には、取り扱い性などの点において好ましくない。
なお、消臭剤成分Ａの酸性度は、使用するポリフェノール及び酸剤により前後するが、ｐＨ１．０〜６．０、好ましくはｐＨ２．０〜６．０とすることが望ましい。この範囲内であるなら、含硫黄化合物及びアミン類による臭いを効率よく消臭し、ポリフェノールが安定に存在することができる。
【００２１】
次に、本発明の消臭剤成分Ｂに含まれるアルカリ剤について説明する。
前記アルカリ剤は、所期の目的を達成できるアルカリ剤である限りとくに限定されないのであり、主としてトイレ臭、生ごみ臭、糞尿臭、動物臭などの硫化水素、イソ吉草酸、ホルムアルデヒドなどの酸性臭気を消臭できるものであれば、特に限定されるものではなく、種々のものを用いることができる。
アルカリ剤の具体例としては、例えば、炭酸ナトリウム、炭酸カリウム、リン酸水素二ナトリウム、リン酸水素二カリウム、クエン酸ナトリウム、クエン酸カリウム、水酸化ナトリウム、水酸化カリウム、炭酸ナトリウム−炭酸水素ナトリウム緩衝剤、リン酸水素二ナトリウム−水酸化ナトリウム緩衝剤などから選ばれる少なくとも１種を挙げることができる。
【００２２】
本発明の消臭剤成分Ｂは、アルカリ剤と水性溶媒を含む液体消臭剤組成物である。水性溶媒としては、水、純水、エタノール、プロピレングリコール、グリセリンなどが挙げられる。
【００２３】
本発明の消臭剤成分Ｂにおいて、アルカリ剤の含有量は、使用するアルカリ剤により変動するが、当該消臭剤組成分Ｂ量に対して、０．００１〜２０質量％、好ましくは０．０１〜１０質量％とすることが望ましい。前記範囲よりもアルカリ剤が少ないときには消臭効果が十分ではなく、前記範囲よりも多い時には、取り扱い性などの点において好ましくない。
なお、消臭剤成分Ｂの塩基性度は、使用するアルカリ剤により変動するが、ｐＨ７．５〜１３．０、好ましくはｐＨ８．０〜１２．５、より好ましくはｐＨ８．５〜１２．０とすることが望ましい。この範囲内であるなら、酸性臭気を効率よく消臭することができる。
【００２４】
本発明においては、上記消臭剤成分Ａ、消臭剤成分Ｂに対して、消臭性能の更なる向上、安定性、香立ちなどの点から、各消臭剤成分に適した香料を予め配合してもよい。
【００２５】
本発明において、消臭剤成分に配合される香料は一般に室温で大気中に揮散される有機化合物であって、香料として有効である有機化合物であれば、特に制限されないが、前記成分Ａに配合される香料はポリフェノール及び酸剤に安定な香料であることが必要であり、前記成分をＢに配合される香料はアルカリ剤に安定な香料を選定する必要がある。
アルカリ剤に不安定な香料を消臭剤成分Ｂに配合すると、時間が経過するに従い、香料が分解したり、変色したり、沈殿したりして、消臭剤成分Ｂの外観を損ねたり、香りの調和が壊されることが容易に起きることになる。また、酸剤及びポリフェノールに不安定な香料を消臭剤成分Ａに配合すると、前記と同様なことが生じるので、消臭剤成分Ａ及び成分Ｂにそれぞれ配合する香料は、それぞれの成分に安定な香料の選定が必要である。
【００２６】
本発明での消臭剤成分Ａには、ポリフェノール及び酸剤に安定な香料であって、アルコール系香料、エステル系香料、炭化水素系香料、ラクトン系香料、エーテル系香料、天然香料から選ばれる少なくとも１種以上を配合することが好ましい。それら香料を配合する量はとくに制限されないが、成分Ａに配合されるすべての香料に対して、例えば３０〜１００（重量）％とすることが望ましいが、３０〜８０（重量）％とすることがより好ましい。
消臭剤成分Ｂには、アルカリ剤に安定な香料であって、アルコール系香料、アルデヒド系香料、ケトン系香料、エーテル系香料、天然香料から選ばれる少なくとも１種以上を配合することが好ましい。それら香料を配合する量はとくに制限されないが、成分Ｂに配合されるすべての香料に対して、例えば３０〜１００（重量）％とすることが望ましいが、３０〜８０（重量）％とすることがより好ましい。
また、これらの香料を上記消臭剤成分Ｂ又は成分Ａに含有することにより、夫々安定な調和のとれた香りを保つことができることとなる。なお、消臭剤における香料は、香料の香りによる悪臭のマスキングにも有効であるが、その場合、使用者に気持ち良い快適な香りでマスキングされることが望ましい。本発明では成分Ａに用いられる香料は所謂調合香料であって、バランスの取れた香質を持ち，使用者に気持ち良い快適な香りを有し、しかもマスキングされる香料であることが望ましく、成分Ｂでも同様であって、成分Ａに用いられる香料がバランスの取れた，使用者に気持ち良い快適な香りを有し、しかもマスキングされる香料であることが望ましい。
【００２７】
本発明で用いられる香料の具体例は以下のとおりである。
アルコール系香料としては、シトロネロール、ゲラニオール、リナロール、ボルネオール、メントール、ネロール、シス−３−ヘキセノール、テルピネオール、テトラヒドロリナロール、β−フェニルエチルアルコール、シンナミックアルコール、アニスアルコール、ジメチルベンジルカルビノール、フェノキシエチルアルコール、サビネンハイドレート、バクダノール、サンダロールが挙げられる。
天然系香料としては、ペパーミント油、ハッカ油、ローズマリー油、ユーカリ油、ティートリー油、オレンジ油、ラベンダー油、ゼラニウム油であり、エーテル系香料としては、ガラクソリド、ローズオキサイド、リナロールオキサイド、シネオール、セドランバー、ジベンジルエーテル、アンブロキサン、ジフェニールオキサイド、β−ナフトールメチルエーテル、β−ナフトールエチルエーテルが挙げられる。
【００２８】
また、アルカリ剤に安定な香料は、アルデヒド系香料としては、シス−３−ヘキセナール、オクタナール、ノナナール、デカナール、シトロネラール、ペリラアルデヒド、α―ヘキシルシンナミックアルデヒド、ヘリオナール、リリアール、バニリン、トリプラールがあり、ケトン系香料としては、カンファー、メントン、ヨノン、メチルヨノン、トナリド、ムスコン、シクロペンタデカノン、カシュメラン、ダマスコン、ダマセノン、シスジャスモンが挙げられる。
【００２９】
エステル系香料としては、酢酸シトロネリル、酢酸ゲラニル、酢酸ネリル、酢酸ベンジル、酢酸テルピニル、酢酸エチル、酢酸プロピル、酢酸ブチル、酢酸アミル、酢酸ボルニル、酢酸メンチル、酢酸−ｐ−ｔｅｒｔ−ブチルシクロヘキシル、酢酸−ｏ−ｔｅｒｔ−ブチルシクロヘキシル、酢酸フェニルエチル、酢酸スチラリルがあり、炭化水素系香料としては、リモネン、ピネン、ジフェニールメタン、ミルセン、サビネンがあり、ラクトン系香料としては、クマリン、γ−ウンデカラクトン、シクロペンタデカノリド、γ−ノナラクトンが挙げられる。
【００３０】
本発明において、消臭剤成分Ａや成分Ｂに配合される香料の量は、前記成分Ａや成分Ｂ  に配合されている化学物質の種類や量により変動するのであり、一概に規定することができないが、好ましい香りを付与するには、消臭剤成分Ａや成分Ｂにそれぞれ安定な香料が消臭剤成分Ａや成分Ｂの全量に対して、０．０１重量％以上であることが好ましく、６０重量％以下であることが好ましい。０．１％未満であると、香りの経時安定性や香りの調和性が十分でなく、６０重量％以上であると、好ましい香りを付与できなくなる。
【００３１】
本発明では、本発明の効果を損なわない範囲で、更にその他の香料、香料用溶剤を含有することができる。その他に使用できる香料は、様々な文献、例えば「Ｐｅｒｆｕｍｅ ａｎｄ Ｆｌａｖｏｒ Ｃｈｅｍｉｃａｌｓ 」，Ｖｏｌ．Ｉａｎｄ II，Ｓｔｅｆｆｅｎ Ａｒｃｔａｎｄｅｒ，Ａｌｌｕｒｅｄ Ｐｕｂ．Ｃｏ．（１９９４）および「合成香料 化学と商品知識」、印藤元一著、化学工業日報社（１９９６）および「香りの百科」、日本香料協会編、朝倉書店（１９８９）および「Ｐｅｒｆｕｍｅｒｙ Ｍａｔｅｒｉａｌ Ｐｅｒｆｏｒｍａｎｃｅ Ｖ．３．３」，Ｂｏｅｌｅｎｓ Ａｒｏｍａ Ｃｈｅｍｉｃａｌ Ｉｎｆｏｒｍａｔｉｏｎ Ｓｅｒｖｉｃｅ（１９９６）および「Ｆｌｏｗｅｒ ｏｉｌｓ ａｎｄ Ｆｌｏｒａｌ Ｃｏｍｐｏｕｎｄｓ Ｉｎ Ｐｅｒｆｕｍｅｒｙ」，Ｄａｎｕｔｅ ＬａｊａｕｊｉｓＡｎｏｎｉｓ，Ａｌｌｕｒｅｄ Ｐｕｂ．Ｃｏ．（１９９３）等で挙げられている。
【００３２】
以下に、その他に使用できる香料の代表例を挙げるが、本発明の効果を損なわない範囲であれば、これらに限定されるものではない。
【００３３】
エステル類としては、例えば、アクリル酸エステル（メチル、エチル、等）、アセト酢酸エステル（メチル、エチル、等）、アニス酸エステル（メチル、エチル、等）、安息香酸エステル（アリル、イソアミル、エチル、ゲラニル、リナリル、フェニルエチル、ヘキシル、シス−３−ヘキセイニル、ベンジル、メチル、等）、アントラニル酸エステル（シンナミル、シス−３−ヘキセニル、メチル、エチル、リナリル、イソブチル、等）、Ｎ−メチルアントラニル酸エステル（メチル、エチル、等）、イソ吉草酸エステル（アミル、アリル、イソアミル、イソブチル、イソプロピル、エチル、オクチル、ゲラニル、シクロヘキシル、シトロネリル、テルペニル、リナリル、シンナミル、フェニルエチル、ブチル、プロピル、ヘキシル、ベンジル、メチル、ロジニル、等）、イソ酪酸エステル（イソアミル、ゲラニル、シトロネリル、テルペニル、シンナミル、オクチル、ネリル、フェニルエチル、フェニルプロピル、フェニキシエチル、ブチル、プロピル、イソプロピル、ヘキシル、ベンジル、メチル、エチル、リナリル、ロジニル、等）、ウンデシレン酸エステル（アリル、イソアミル、ブチル、エチル、メチル、等）、オクタン酸エステル（アリル、イソアミル、エチル、オクチル、ヘキシル、ブチル、メチル、リナリル、等）、オクテン酸エステル（メチル、エチル、等）、オクチンカルボン酸エステル（メチル、エチル、等）、カプロン酸エステル（アリル、アミル、イソアミル、メチル、エチル、イソブチル、プロピル、ヘキシル、シス−３−ヘキセニル、トランス−２−ヘキセニル、リナリル、ゲラニル、シクロヘキシル、等）、ヘキセン酸エステル（メチル、エチル、等）、吉草酸エステル（アミル、イソプロピル、イソブチル、エチル、シス−３−ヘキセニル、トランス−２−ヘキセニル、シンナミル、フェニルエチル、メチル、等）、ギ酸エステル（アニシル、イソアミル、イソプロピル、エチル、オクチル、ゲラニル、シトロネリル、シンナミル、シクロヘキシル、テルピニル、フェニルエチル、ブチル、プロピル、ヘキシル、シス−３−ヘキセニル、ベンジル、リナリル、ロジニル、等）、クロトン酸エステル（イソブチル、エチル、シクロヘキシル、等）、ケイ皮酸エステル（アリル、エチル、メチル、イソプロピル、プロピル、３−フェニルプロピル、ベンジル、シクロヘキシル、メチル、等）、コハク酸エステル（モノメンチル、ジエチル、ジメチル、等）、酢酸エステル（アニシル、アミル、α−アミルシンナミル、イソアミル、イソブチル、イソプロピル、イソボルニル、イソオイゲニル、オイゲニル、２−エチルブチル、エチル、３−オクチル、ｐ−クレジル、ｏ−クレジル、ゲラニル、α−又はβ−サンタリル、シクロヘキシル、シクロネリル、ジヒドロクミニル、ジメチルベンジルカルビニル、シンナミル、スチラリル、デシル、ドデシル、テルピニル、グアイニル、ネリル、ノニル、フェニルエチル、フェニルプロピル、ブチル、フルフリル、プロピル、ヘキシル、シス−３−ヘキセニル、トランス−２−ヘキセニル、シス−３−ノネニル、シス−６−ノネニル、シス−３，シス−６−ノナジエニル、３−メチル−２−ブテニル、ヘプチル、ベンジル、ボルニル、ミルセニル、ジヒドロミルセニル、ミルテニル、メチル、２−メチルブチル、メンチル、リナリル、ロジニル、等）、サリチル酸エステル（アリル、イソアミル、フェニル、フェニルエチル、ベンジル、エチル、メチル、等）、シクロヘキシルアルカン酸エステル（シクロヘキシル酢酸エチル、シクロヘキシルプロピオン酸アリル、シクロヘキシル酪酸アリル、シクロヘキシルセキサン酸アリル、シクロヘキシルデカン酸アリル、シクロヘキシル吉草酸アリル、等）、ステアリン酸エステル（エチル、プロピル、ブチル、等）、セバチン酸エステル（ジエチル、ジメチル、等）、デカン酸エステル（イソアミル、エチル、ブチル、メチル、等）、ドデカン酸エステル（イソアミル、エチル、ブチル、等）、乳酸エステル（イソアミル、エチル、ブチル、等）、ノナン酸エステル（エチル、フェニルエチル、メチル、等）、ノネン酸エステル（アリル、エチル、メチル、等）、ヒドロキシヘキサン酸エステル（エチル、メチル、等）、フェニル酢酸エステル（イソアミル、イソブチル、エチル、ゲラニル、シトロネリル、シス−３−ヘキセニル、メチル、等）、フェノキシ酢酸エステル（アリル、エチル、メチル、等）、フランカルボン酸エステル（フランカルボン酸エチル、フランラルボン酸ンメチル、フランカルボン酸ヘキシル、フランプロピオン酸イソブチル、等）、プロピオン酸エステル（アニシル、アリル、エチル、アミル、イソアミル、プロピル、ブチル、イソブチル、イソプロピル、ベンジル、ゲラニル、シクロヘキシル、シトロネリル、シンナミル、テトラヒドロフルフリル、トリシクロデセニル、ヘプチル、ボルニル、メチル、メンチル、リナリル、テルピニル、α−メチルプロピオニル、β−メチルプロピオニル、等）、ヘプタン酸エステル（アリル、エチル、オクチル、プロピル、メチル、等）、ヘプチンカルボン酸エステル（アリル、エチル、プロピル、メチル、等）、ミルシチン酸エステル（イソプロピル、エチル、メチル、等）、フェニルグリシド酸エステル（フェニルグリシド酸エチル、３−メチルフェニルグリシド酸エチル、ｐ−メチル−β−フェニルグリシド酸エチル、等）、２−メチル酪酸エステル（メチル、エチル、オクチル、フェニルエチル、ブチル、ヘキシル、ベンジル、等）、３−メチル酪酸エステル（メチル、エチル、等）、酪酸エステル（アニシル、アミル、アリル、イソアミル、メチル、エチル、プロピル、オクチル、グアイニル、リナリル、ゲラニル、シクロヘキシル、シトロネリル、シンナミル、ネリル、テルペニル、フェニルプロピル、β−フェニルエチル、ブチル、ヘキシル、シス−３−ヘキセニル、トランス−２−ヘキセニル、ベンジル、ロジニル、等）、ヒドロキシ酪酸エステル（３−ヒドロキシ酪酸のメチル、エチル、メンチル、等）などが使用される。
【００３４】
アルコール類としては、例えば、脂肪族アルコール（イソアミルアルコール 、２−エチルヘキサノール、１−オクタノール、３−オクタノール、１−オクテン−３−オール、１−デカノール、１−ドデカノール、２，６−ノナジエノール、ノナノール、２−ノナノール、シス−６−ノネノール、トランス−２，シス−６−ノナジエノール、シス−３，シス−６−ノナジエノール、ブタノール、ヘキサノール、シス−３−ヘキセノール、トランス−２−ヘキセノール、１−ウンデカノール、ヘプタノール、２−ヘプタノール、３−メチル−１−ペンタノール、等）、テルペンアルコール（ボルネオール、イソボルネオール、カルベオール、ゲラニオール、α−又はβ−サンタロール、シトロネロール、４−ツヤノール、テルピネオール、４−テルピネオール、ネロール、ミルセノール、ミルテノール、ジヒドロミルセノール、テトラヒドロミルセノール、ネロリドール、ヒドロキシシトロネロール、ファルネソール、ペリラアルコール、ロジノール、リナロール、等）、芳香族アルコール（アニスアルコール、α−アミルシンナミックアルコール、イソプロピルペンジルカルビノール、カルバクロール、クミンアルコール、ジメチルペンジルカルビノール、シンナミックアルコール、フェニルアリルアルコール、フェニルエチルカルビノール、β−フェニルエチルアルコール、３−フェニルプロピルアルコール、ペンジルアルコール、等）などが使用される。
【００３５】
アルデヒド類としては、例えば、脂肪族アルデヒド（アセトアルデヒド、オクタナール、ノナナール、デカナール、ウンデカナール、２，６−ジメチル−５−ヘブタナール、３，５，５−トリメチルヘキサナール，シス−３，シス−６−ノナジエナール、トランス−２，シス−６−ノナジエナール、バレルアルデヒド、プロパナール、イソプロパナール、ヘキサナール、トランス−２−ヘキセナール、シス−３−ヘキセナール、２−ペンテナール、ドデカナール、テトラデカナール、トランス−４−デセナール、トランス−２−トリデセナール、トランス−２−ドデセナール、トランス−２−ウンデセナール、２，４−ヘキサジエナール、シス−６−ノネナール、トランス−２−ノネナール、２−メチルブタナール、等）、芳香族アルデヒド（アニスアルデヒド、α−アミルシンナミックアルデヒド、α−メチルシンナミックアルデヒド、シクラメンアルデヒド、ｐ−イソプロピルフェニルアセトアルデヒド、エチルバニリン、クミンアルデヒド、サリチルアルデヒド、シンナミックアルデヒド、ｏ−，ｍ−またはｐ−トリルアルデヒド、バニリン、ビベロナール、フェニルアセトアルデヒド、ヘリオトロピン、ベンズアルデヒド、４−メチル−２−フェニル−２−ペンテナール、ｐ−メトキシシンナミックアルデヒド、ｐ−メトキシペンズアルデヒド、等）、テルペンアルデヒド（ゲラニアール、シトラール、シトロネラール、α−シネンサール、β−シネンサール、ペリラアルデヒド、ヒドロキシシトロネラール、テトラハイドロシトラール、ミルテナール、シクロシトラール、イソシクロシトラール、シトロネリルオキシアセトアルデヒド、ネラール、α−メチレンシトロネラール、マイラックアルデヒド、ベルンアルデヒド、サフラナール、等）などが使用される。
【００３６】
ケトン類としては、例えば、環式ケトン（１−アセチル−３，３−ジメチル−１−シクロヘキセン、シスージャスモン、α−，β−又はγ−イロン、エチルマルトール、シクロテン、ジヒドロヌートカトン、３，４−ジメチル−１，２−シクロペンタジオン、ソトロン、α−，β−，γ−又はδ−ダマスコン、α−，β−又はγ−ダマセノン、ヌートカトン、2−ｓｅｃ−プチルシクロヘキサノン、マルトール、α−，β−又はγ一ヨノン、α−，β−又はγ−メチルヨノン、α一，β−又はγ−イソメチルヨノン、フラネオール、カンファ、等）、芳香族ケトン（アセトナフトン、アセトフェノン、アニシリデンアセトン、ラズベリーケトン、ｐ−メチルアセトフェノン、アニシルアセトン、ｐ−メトキシアセトフェノン、等）鎖式ケトン（ジアセチル、２−ノナノン、ジアセチル、２−ヘブタノン、２，３−ヘプタンジオン、２−ペンタノン、メチルアミルケトン、メチルノニルケトン、β−メチルナフチルケトン、メチルヘブタノン、３−ヘプタノン、４−ヘプタノン、３−オクタノン、２，３−ヘキサンジオン、２−ウンデカノン、ジメチルオクテノン、６一メチル−５−ヘプチン−３−オン、等）などが使用される。
【００３７】
アセタール類としては、例えば、アセトアルデヒドジエチルアセタール、アセトアルデヒドジアミルアセタール、アセトアルデヒドジヘキシルアセタール、アセトアルデヒドプロピレシグリコールアセタール、アセトアルデヒドエチル シス−３−ヘキセニルアセタール、ベンズアルデヒドグリセリンアセタール、ベンズアルデヒドプロピレングリコールアセタール、シトラールジメチルアセタール、シトラールジエチルアセタール、シトラールプロピレングリコールアセタール、シトラールエチレングリコールアセタール、フェニルアセトアルデヒドジメチルアセタール、シトロネリルメチルアセタール、アセトアルデヒドフェニルエチルプロピルアセタール、ヘキサナールジメチルアセタール、ヘキサナールジヘキシルアセタール、ヘキサナールプロピレングリコールアセタール、トランス−２−ヘキセナールジエチルアセタール、トランス−２−ヘキセナールプロピレングリコールアセタール、シス−３−ヘキセナールジエチルアセタール、ヘプタナールジエチルアセタール、ヘプタナールエチレングリコールアセタール、オクタナールジメチルアセタール、ノナナールジメチルアセタール、デカナールジメチルアセタール、デカナールジエチルアセタール、２−メチルウンデカナールジメチルアセタール、シトロネラールジメチルアセタール、アンバーセージ（Givaudan社製）、アセト酢酸エチルエチレングリコールアセタールおよび２−フェニルプロパナールジメチルアセタールなどが使用される。
【００３８】
フェノール類としては、例えば、オイゲノール、イソオイゲノール、２−メトキシ−４−ビニルフェノール、チモール、カルバクロール、グアヤコールおよびチャビコールなどが使用される。
【００３９】
エーテル類としては、例えば、アネトール、１，４−シネオール、ジベンジルエーテル、リナロールオキシド、リモネンオキシド、ネロールオキシド、ローズオキシド、メチルイソオイゲノール、メチルチャビコール、イソアミルフェニルエチルエーテル、β−ナフチルメチルエーテル、フェニルプロピルエーテル、ｐ−クレジルメチルエーテル、バニリルプチルエーテル、α−テルピニルメチルエーテル、シトロネリルエチルエーテル、ゲラニルエチルエーテル、ローズフラン、テアスビラン、デシルメチルエーテルおよびメチルフェニルメチルエーテルなどが使用される。
【００４０】
ラクトン類としては、例えば、γ−又はδ−デカラクトン、γ−ヘプタラクトン、γ−ノナラクトン、γ−又はδ−ヘキサラクトン、γ−又はδ−オクタラクトン、γ−又はδ−ウンデカラクトン、δ−ドデカラクトン、δ−２−デセノラクトン、メチルラクトン、５−ヒドロキシ−８−ウンデセン酸δ−ラクトン、ジャスミンラクトン、メンタラクトン、ジヒドロクマリン、オクタヒドロクマリンおよび6−メチルクマリンなどが使用される。
【００４１】
フラン類としては、例えば、フラン、２−メチルフラン、３−メチルフラン、２−エチルフラン、２，５−ジエチルテトラヒドロフラン、３−ヒドロキシ−２−メチルテトラヒドロフラン、２−（メトキシメチル）フラン、２，３−ジヒドロフラン、フルフラール、５−メチルフルフラール、３−（２−フリル）−２−メチル−２−プロペナール、５−（ヒドロキシメチル）フルフラール、２，５−ジメチル−４−ヒドロキシ−３（２Ｈ）−フラノン（フラネオール）、４，５−ジメチル−３−ヒドロキシ−２（５Ｈ）−フラノン（ソトロン）、２−エチル−４−ヒドロキシ−５−メチル−３（２Ｈ）−フラノン（ホモフラノオール）、５−エチル−３−ヒドロキシ−４−メチル−２（５Ｈ）フラノン（ホモソトロン）、３−メチル−１，２−シクイロペンタンジオン（シクロテン）、２（５Ｈ）−フラノン、４−メチル−２（５Ｈ）−フラノン、５−メチル−２（５Ｈ）−フラノン、２−メチル−３（２Ｈ）−フラノン、５−メチル−３（２Ｈ）−フラノン、２−アセチルフラノン、２−アセチル−５−メチルフラン、フルフリルアルコール、２−フランカルボン酸メチル、２−フランカルボン酸エチルおよび酢酸フリフリルなどが使用される。
【００４２】
炭化水素類としては、例えば、α−又はβ−ビザボレン、β−カリオフィレン、ｐ−サイメン、テルピネン、テルピノーレン、カジネン、ファルネセン、リモネン、オシメン、ミルセン、α−又はβ−ピネン、１，３，５−ウンデカトリエンおよびバレンセンなどが使用される。
【００４３】
また、酸類としては、例えば、ゲラン酸、ドデカン酸、ミリスチン酸、ステアリン酸、乳酸、フェニル酢酸、ピルビン酸、トランス−２−メチル−２−ペンテン酸、２−メチル−シス−３−ペンテン酸、２−メチル−４−ペンテン酸およびシクロヘキサンカルボン酸などが使用される。
【００４４】
更に、天然香料としては、例えば、アニス、オレンジ、レモン、ライム、マンダリン、プチグレイン、ベルガモット、レモンバーム、グレープフルーツ、エレミ、オリバナム、レモングラス、ネロリ、マジョラム、アンゲリカルート、スターアニス、バジル、ベイ、カラマス、カモミール、キャラウエイ、カルダモン、カッシャ、シナモン、ベッパー、シソ、サイプレス、オレガノ、カスカリラ、ジンジャー、パセリ、パインニードル、セージ、ヒソップ、ティートリー、マスタード、ホースラディッシュ、クラリセージ、クローブ、コニャック、コリアンダー、エストラゴン、ユーカリ、フェンネル、グアヤックウッド、ディル、カヤプテ、ワームシード、ピメント、ジュニパー、フェネグリーク、ガーリック、ローレル、メース、ミル、ナッツメグ、スプルース、ゼラニウム、シトロネラ、ラベンダー、ラバンジン、パルマローザ、ローズ、ローズマリー、サンダルウッド、オークモス、シダーウッド、ベチバー、リナロエ、ボアドローズ、パチョリ、ラブダナム、クミン、タイム、イランイラン、バーチ、カプシカム、セロリー、トルーバルサム、ジェネ、インモルテル、ベンゾイン、ジャスミン、カッシー、チョベローズ、レセダ、マリーゴールド、ミモザ、オポポナックス、オリス、バニラ及びリコリスなどが使用される。なお、これらの天然香料に含有されている香料成分を使用することもできる。
【００４５】
本発明では、液体消臭剤に用いられている任意成分を本発明の効果を損なわない範囲で消臭剤成分Ａあるいは消臭剤成分Ｂに含有せしめることができる。用いることができる任意成分としては、界面活性剤、色素、抗菌剤、防腐剤、香料保留剤、凍結安定化剤、消臭基剤、精油、溶剤などが挙げられる。
また、本発明では、悪臭を消臭あるいは低減することができる機能を持つ酵素を共存させてもよい。また、植物由来の粗酵素を共存させてもよい。
【００４６】
本発明の消臭方法は、上記消臭剤成分の一方を悪臭現に適用し、次いで他方の成分を悪臭現に適用する消臭方法を採用することが有利である。とくに、ポリフェノールと酸剤を含む消臭剤成分Ａを先に悪臭源に適用し、次いでアルカリ剤を含む消臭剤成分Ｂを、前記成分Ａを適用した部位に適用する方法が好ましい。この方法により、前記混合型悪臭を極めて効率よく消臭することができる。
なお、本発明では、悪臭源に適用するときの、前記消臭剤成分Ａの使用量と消臭剤成分Ｂの使用量との比は特に制限されない。使用する消臭剤成分に含まれる有効成分の種類や量、消臭しようとする悪臭源の状態などにより大幅に変動する。ここで、悪臭源とは、例えば、台所での生ごみ、水周りの汚れ、トイレ内など悪臭を発生する部分あるいはその周囲をいう。
本発明では、消臭剤成分Ａと消臭剤成分Ｂとを同時に悪臭源に適用してもよい。
【００４７】
本発明では、前記消臭剤成分Ａと消臭剤成分Ｂとをそれぞれ個別に収納して消臭製品とすることもできる。前記個別に収納する手段は特に制限されないが、好ましい手段としては前記消臭剤成分Ａと消臭剤成分Ｂとをそれぞれ別個に収納する容器を備え。しかもそれら容器の少なくとも一部が相互に結合されている消臭剤成分収納容器を使用することである。前記二つの容器は一体的な容器として成形してなるものが好ましい。具体的には、消臭剤成分Ａと消臭剤成分Ｂとをそれぞれの２液が液体状態で混合されることなく、個別容器、例えば、一つの容器に区画体により２液を収納する２個の収納部を備えた容器に上記各消臭剤成分を収納する収納容器、または、二つの独立型容器に上記各消臭液を収納して、この独立型容器同士を嵌合、接合、接着などの固着機構又は着脱機構により一体的に結合する収納容器。更に、受皿内に二つの独立型容器をセット化して一体的な収納容器などが例示される。
【００４８】
特に好ましい収納容器として、チューブ状容器であり、その容器内に前記区画体としての薄い板状、あるいは前記容器とほぼ同形のチューブ状の区画体を備えた容器が挙げられる。前記収納容器は該区画体により二つの収納部が形成されており、それぞれの収納部に別個に収納されることになる。消臭機能を発揮させたいと希望するときに、消臭剤成分Ａと消臭剤成分Ｂは、それぞれの出口から押し出され、出口付近（出口の押出方向部位）で相互に混合され、悪臭源に適用される。具体例として歯磨きチューブを例示できるが、本発明ではそれになんら限定されない。
また、上記と異なる好ましい容器としてスプレー式容器がある。この容器には、少なくともガス式のものとミスト式のものがあるが、本発明では、これらすべての形式の容器を含むのである。説明の複雑さと、わかりづらくなることを回避するために、これ以降、前記形式についての説明を省略する。
容器内部が二つの液体収納部を備えるスプレー式容器であって、前記液体収納部のそれぞれに収容され消臭剤成分に一方の端が浸された中空管を備え、しかも該中空管の他方の端近くで前記消臭剤成分が相互に合一され、当該他方の端がスプレー部に接続する中空管が備えられた収納容器も、本発明の好ましい収納容器である。前記収納容器内の二つの収納部に、消臭剤成分Ａと消臭剤成分Ｂは、それぞれ収納される。消臭機能を発揮させたいと希望するときに、消臭剤成分Ａと消臭剤成分Ｂは、それぞれの中空管を通過し、中空管の合一部で相互に混合され、中空管の端部（出口）を通過し、スプレー部を経て、悪臭源にスプレーされ、適用されることになる。
【００４９】
上記消臭製品を用いて、混合臭を消臭することが可能となる。例えば、生ごみに由来する臭い、冷蔵庫内での臭い、食品を調理する際に発生する臭いなどの台所での臭い、トイレでの臭い、パーマネント処理、染毛処理時に生ずる臭い、ペット排泄臭などの室内臭などを挙げることができる。また、硫化水素・低級脂肪酸類・アルデヒド類などの酸性臭気とアンモニアなどのアルカリ性臭気およびメチルメルカプタンなどの含硫化合物等を効率よく、同時に消臭することができる。
更にそれぞれの消臭剤成分に香料組成物を配合し、時間の経過と共に、消臭剤成分が分解したり、変色したり、沈殿、外観を損ねたりすることもなく、そのうえ香りの調和が壊されることもない。更に、安定した香り立ちを長期間にわたって持続させることができることになる。
【実施例】
【００５０】
以下に実施例などによって本発明について具体的に説明するが、本発明は以下の例により何ら限定されない。
【００５１】
参考例１  茶抽出物の調製
煎茶（緑茶）１ｋｇを９０℃の熱水１０Ｌで１時間攪拌しながら抽出し、茶葉を濾過により除き、８．３Ｌの抽出液を得た。この液を１Ｌまで濃縮し、これにアセトン１Ｌを加えて攪拌し、生じた不溶物を遠心分離により除いた。上清液に酢酸エチル１Ｌを加えて攪拌し、３０分間静置した。得られた酢酸エチル層を減圧下に濃縮し、水層に転換した後凍結乾燥して、純度６０％の茶フェノールを含有する茶抽出物９７ｇを得た。
【００５２】
実施例１      消臭剤の調製
次の方法で、二液型消臭剤を調整した。
（消臭剤成分Ａの調製）
参考例１の茶抽出物、およびクエン酸をそれぞれ所定量秤量した後、それらを混合攪拌し、茶抽出物０．５重量％、クエン酸０．５重量％、及び水９９重量％からなる消臭剤成分Ａを得た。ｐＨは２．７であった。
（消臭剤成分Ｂの調製）
炭酸ナトリウムを所定量秤量し、炭酸ナトリウム０．５重量%、水９９．５重量％とからなる消臭剤成分Ｂを得た。ｐＨは１１．２であった。
【００５３】
応用例１    二液型消臭剤のパーマネント処理毛髪への適用
パーマネント処理毛髪を実施例１の消臭剤成分Ａに浸した後に１０分間放置した。
該毛髪を引き上げ、毛髪を絞って前記消臭剤成分Ａを取り除いた後に、実施例１の消臭剤成分Ｂに浸し、１０分間放置した。その毛髪を引き上げ、毛髪を絞り、水洗後、タオルを用いて水分を拭き取り、二液型消臭剤で処理したパーマネント処理毛髪を得た。
【００５４】
試験例１  実施例１の二液型消臭剤の消臭効果
実施例１の二液型消臭剤の、パーマネント処理毛髪に対する消臭効果を次のような官能評価試験によって評価した。
（操作）  
応用例１で得たパーマネント処理毛髪を３７℃にて１時間乾燥処理した後、下記評価基準に従って、官能評価試験を行った。なお、対照として、パーマネント処理毛髪を応用例1と同様に水洗し、タオルで水分を拭き取った後、上記と同様に乾燥し、消臭無処理毛髪を用いた。このぬ処理毛髪を基準として、官能評価した。
測定結果を表1に示す。なお、表の数値は６名のパネラーの平均値である。
（評価基準）
５    パーマ臭が強く臭う
４    パーマ臭が臭う
３    パーマ臭がやや臭う
２    パーマ臭が殆ど臭わない
１    パーマ臭がまったく臭わない
【００５５】
比較応用例１    二液型消臭剤の構成成分のパーマネント処理毛髪への適用
パーマネント処理毛髪を実施例１の茶抽出物の０．５重量％水溶液に浸した後、１０分間放置した。その毛髪を引き上げ、毛髪を絞り、それ以降は応用例１と同様な操作を施し、パーマネント処理毛髪を得た。
【００５６】
比較応用例２〜３    二液型消臭剤の構成成分のパーマネント処理毛髪への適用
茶抽出物の０．５重量％水溶液の代わりに、実施例１のクエン酸の０．５重量％水溶液、及び実施例１の消臭剤成分Ｂを用い、それ以外は比較応用例１と同様な操作を施し、パーマネント処理毛髪を得た。
【００５７】
比較応用例４    二液型消臭剤の構成成分のパーマネント処理毛髪への適用
茶抽出物の０．５重量％水溶液の代わりに、実施例１の消臭剤成分Ａを用い、それ以外は比較応用例１と同様な操作を施し、パーマネント処理毛髪を得た。
【００５８】
試験例２〜５  実施例１の二液型消臭剤の構成成分の消臭効果
実施例１の二液型消臭剤の構成成分の、パーマネント処理毛髪に対する消臭効果を次のような官能評価試験によって評価した。
〔操作〕
比較応用例１〜４で得たパーマネント処理毛髪を、試験例1と同様に官能評価した。
測定結果を表１に示す。なお、表の数値は６名のパネラーの平均値である。
【００５９】
表１    官能評価結果
0004781865.tif 000002
【００６０】
実施例２    消臭剤の調製
次の方法で、二液型消臭剤を調整した。
（第１の消臭剤成分の調製）
ピーカンナッツ抽出物（日本油脂社製）、およびクエン酸をそれぞれ所定量秤量した後、それらを混合攪拌し、ピーカンナッツ抽出物０．５重量％、クエン酸０．５重量％、及び水９９重量％からなる第１の消臭剤成分を得た。ｐＨは２．４２であった。
（第２の消臭剤成分の調製）
炭酸ナトリウムを所定量秤量し、炭酸ナトリウム０．５重量%、水９９．５重量％とからなる第２の消臭剤成分を得た。ｐＨは１１．２であった。
【００６１】
実施例３    消臭剤の調製
次の方法で、二液型消臭剤を調整した。
（消臭剤成分Ａの調製）
没食子酸参、およびクエン酸をそれぞれ所定量秤量した後、それらを混合攪拌し、没食子酸０．５重量％、クエン酸０．５重量％、及び水９９量％からなる消臭剤成分Ａ得た。ｐＨは２．４２であった。
（消臭剤成分Ｂの調製）
炭酸ナトリウムを所定量秤量し、炭酸ナトリウム０．５重量%、水９９．５重量％とからなる第２の消臭剤成分を得た。ｐＨは１１．２であった。
【００６２】
実施例４    消臭剤の調製
次の方法で、二液型消臭剤を調整した。
（消臭剤成分Ａの調製）
参考例１の茶抽出物、およびクエン酸をそれぞれ所定量秤量した後、それらを混合攪拌し、茶抽出物０．５重量％、クエン酸０．５重量％、及び水９９重量％からなる消臭剤成分Ａを得た。ｐＨは２．７３であった。
（消臭剤成分Ｂの調製）
炭酸ナトリウムを所定量秤量し、炭酸ナトリウム０．５重量%、水９９．５重量％とからなる第２の消臭剤成分を得た。ｐＨは１１．２であった。
【００６３】
応用例２    二液型消臭剤のパーマネント処理毛髪への適用
パーマネント処理毛髪を実施例２の第１の消臭剤成分に浸した後に１０分間放置した。
該毛髪を引き上げ、毛髪を絞って前記第１の消臭剤成分を取り除いた後に、実施例２の第２の消臭剤成分に浸し、１０分間放置した。その毛髪を引き上げ、毛髪を絞り、それ以降は応用例１と同様な操作を施し、二液型消臭剤で処理したパーマネント処理毛髪を得た。
【００６４】
応用例３    二液型消臭剤のパーマネント処理毛髪への適用
パーマネント処理毛髪を実施例２の第２の消臭剤成分に浸した後に１０分間放置した。
該毛髪を引き上げ、毛髪を絞って前記第１の消臭剤成分を取り除いた後に、実施例２の第１の消臭剤成分に浸し、１０分間放置した。その毛髪を引き上げ、毛髪を絞り、それ以降は応用例１と同様な操作を施し、二液型消臭剤で処理したパーマネント処理毛髪を得た。
【００６５】
応用例４〜５    二液型消臭剤のパーマネント処理毛髪への適用
実施例２の消臭剤の代わりに実施例３〜４の消臭剤を用い、それ以外は応用例２と同様な操作を施し、二液型消臭剤で処理したパーマネント処理毛髪を得た。
【００６６】
試験例６〜９  実施例２〜４の二液型消臭剤の消臭効果
実施例２〜４の二液型消臭剤の、パーマネント処理毛髪に対する消臭効果を次のような官能評価試験によって評価した。
（操作）  
応用例２〜４で得たパーマネント処理毛髪に対する消臭効果を、試験例1と同様に官能評価した。
その評価結果を表２に示す。
【００６７】
表２    官能評価結果
0004781865.tif 000003
【００６８】
実施例５    消臭剤の調製
次の方法で、二液型消臭剤を調整した。
（消臭剤成分Ａの調製）
没食子酸、及びクエン酸をそれぞれ所定量秤量した後、それらを混合攪拌し、没食子酸０．２５重量％、クエン酸０．２５重量％、及び水８８重量％からなる消臭剤成分Ａを得た。ｐＨは３．０４であった。
（消臭剤成分Ｂの調製）
炭酸ナトリウムを所定量秤量し、炭酸ナトリウム０．５重量%、水９９．５重量％とからなる消臭剤成分Ｂを得た。ｐＨは１１．２であった。
【００６９】
試験例１０  実施例５の二液型消臭剤の消臭効果
実施例５の二液型消臭剤の、下記混合臭に対する消臭効果を次のような官能評価試験によって評価した。
（操作）  
底面の直径が約５ｃｍ、高さが約８ｃｍのプラスチック製カップの底にろ紙を敷いた後に、下記組成のモデル混合臭０．５ｍｌを滴下し、ろ紙に染み込ませた。直ちに、実施例５の消臭剤成分Ａ１ｍＬをスプレーし、すぐ蓋をした。５分間放置後、蓋を開け、手早く消臭剤成分Ｂ１ｍＬをスプレーし、すぐ蓋をした。５分間経過後、蓋を開け、臭いを官能評価した。
官能評価方法は、試験例１と同様である。ただし、評価基準は下記のとおりである。
試験結果を表3に示した。
（モデル混合臭）
モデル混合臭は、酢酸０．２５重量％、アセトアルデヒド０．２５重量％、トリメチルアミン０．２５重量％およびメチルメルカプタン０．１２５重量％、水９９．１２５重量％からなる。
（評価基準）
５    混合臭が強く臭う
４    混合臭が臭う
３    混合臭がやや臭う
２    混合臭が殆ど臭わない
１    混合臭がまったく臭わない
【００７０】
試験例１１  実施例５の消臭剤の構成成分Ａの消臭効果
実施例５の消臭剤成分Ａの、試験例１０の混合臭に対する消臭効果を次のような官能評価試験によって評価した。
（操作）  
試験例１０と同様な混合臭をろ紙に染み込ませたカップに、実施例５の消臭剤成分Ａ１ｍＬをスプレーし、すぐ蓋をした。５分間放置後、蓋を開け、試験例１０と同様な操作を施し、臭いを官能評価した。
試験結果を表３に示した。
【００７１】
試験例１２  実施例５の消臭剤の構成成分の消臭効果
実施例５の消臭剤成分Ｂの、試験例１０の混合臭に対する消臭効果を試験例１０と同様な操作を施し、臭いを官能評価した。
試験結果を表3に示した。
【００７２】
表３    官能評価結果
0004781865.tif 000004
【００７３】
実施例６    消臭剤の調製
次の方法で、二液型消臭剤を調整した。
（消臭剤成分Ａの調製）
没食子酸、リンゴ酸、及び９５％エタノールをそれぞれ所定量秤量した後、それらを混合攪拌し、没食子酸１．０重量％、リンゴ酸１．０重量％、９５％エタノール１０．０重量％及び水８８重量％からなる消臭剤成分Ａ得た。ｐＨは２．３であった。
（消臭剤成分Ｂの調製）
炭酸ナトリウムを所定量秤量し、炭酸ナトリウム１．０重量%、水９９．０重量％とからなる消臭剤成分Ｂを得た。ｐＨは１１．４であった。
【００７４】
試験例１３  実施例６の二液型消臭剤の消臭効果
実施例６の二液型消臭剤の、下記魚臭に対する消臭効果を次のような官能評価試験によって評価した。
（操作）  
面の直径が約５ｃｍ、高さが約８ｃｍのプラスチック製カップの底にろ紙を敷いた後に、下記組成のモデル魚臭０．１ｍｌを滴下し、ろ紙に染み込ませた。直ちに、実施例６の消臭剤成分Ａ０．２ｍＬをスプレーし、すぐ蓋をした。２分間放置後、蓋を開け、手早く消臭剤成分Ｂ０．２ｍＬをスプレーし、すぐ蓋をした。２分間経過後、蓋を開け、臭いを官能評価した。
官能評価方法は、試験例１と同様である。ただし、評価基準は下記によった。
試験結果を表４に示した。
（モデル魚臭）
モデル魚臭は、エビフレーバー０．１重量％含有するジプロピレングリコール（ＤＰＧ）５０重量％と、いわし油０．１重量％含有ＤＰＧ５０重量％からなる。
（評価基準）
５    魚臭が強く臭う
４    魚臭が臭う
３    魚臭がやや臭う
２    魚臭が殆ど臭わない
１    魚臭がまったく臭わない
【００７５】
実施例７    消臭剤の調製
次の方法で、二液型消臭剤を調整した。
（消臭剤成分Ａの調製）
参考例１の茶抽出物、クエン酸、及び９５％エタノールをそれぞれ所定量秤量した後、それらを混合攪拌し、茶抽出物１．０重量％、クエン酸１．０重量％、９５％エタノール４８．０重量％及び水５０重量％からなる消臭剤成分Ａを得た。ｐＨは３．５であった。
（消臭剤成分Ｂの調製）
炭酸ナトリウム、及び９５％エタノールをそれぞれ所定量秤量した後、それらを混合攪拌し、炭酸ナトリウム１．０重量%、９５％エタノール４０．０重量％及び、水５９．０重量％とからなる消臭剤成分Ｂを得た。ｐＨは１２．２であった。
【００７６】
試験例１４  実施例７の二液型消臭剤の消臭効果
実施例７の二液型消臭剤の、ペット排泄臭に対する消臭効果を次のような官能評価試験によって評価した。
（操作）  
底面の直径が約５ｃｍ、高さが約８ｃｍのプラスチック製カップの底に、使用後の猫砂３ｇを敷き詰めた。その猫砂の上にろ紙を敷いた後に、直ちに、実施例７の消臭剤成分Ａ０．２ｍＬをスプレーし、すぐ蓋をした。２分間放置後、蓋を開け、手早く消臭剤成分Ｂ０．２ｍＬをスプレーし、すぐ蓋をした。２分間経過後、蓋を開け、臭いを官能評価した。
官能評価方法は、試験例１と同様である。ただし、評価基準は下記によった。
試験結果を表４に示した。
（評価基準）
５    ペット排泄臭が強く臭う
４    ペット排泄臭が臭う
３    ペット排泄臭がやや臭う
２    ペット排泄臭が殆ど臭わない
１    ペット排泄臭がまったく臭わない
【００７７】
実施例８    消臭剤の調製
次の方法で、二液型消臭剤を調整した。
（消臭剤成分Ａの調製）
カテキン（ポリフェノールＧＴＰ９０、株式会社あいや製）、クエン酸、及び歯磨き剤（つぶ塩：花王社製）をそれぞれ所定量秤量した後、それらを混合攪拌し、カテキン（ポリフェノールＧＴＰ９０）０．５重量％、クエン酸０．５重量％、歯磨き剤９９．０重量％からな消臭剤成分Ａを得た。ｐＨは５．８であった。
（消臭剤成分Ｂの調製）
炭酸ナトリウムを所定量秤量し、炭酸ナトリウム０．５重量%、水９９．５重量％とからなる消臭剤成分Ｂを得た。ｐＨは８．７５であった。
【００７８】
試験例１５  実施例８の二液型消臭剤の消臭効果
実施例８の二液型消臭剤の、メチルメルカプタン臭に対する消臭効果を次のような官能評価試験によって評価した。
（操作）  
乳鉢（直径ｃｍ）に５重量％含有メチルメルカプタンＮａ水溶液を１適たらす。実施例８の消臭剤成分Ａ０．５ｇと成分Ｂ１ｇと水２ｍＬとを乳鉢に加え、臭気が逃げないように乳鉢を大きな袋で覆い、乳鉢の中を歯ブラシで歯磨きするように擦った（ブラッシングした）。1分間経過後、覆いを取り、臭いを官能評価した。官能評価方法は、試験例１と同様である。ただし、評価基準は下記によった。
試験結果を表４に示した。
（評価基準）
５    メチルメルカプタン臭が強く臭う
４    メチルメルカプタン臭が臭う
３    メチルメルカプタン臭がやや臭う
２    メチルメルカプタン臭が殆ど臭わない
１    メチルメルカプタン臭がまったく臭わない
【００７９】
表４    官能評価結果
0004781865.tif 000005
【００８０】
実施例９      消臭剤の調製
次の方法で、二液型消臭剤を調整した。
（消臭剤成分Ａの調製）
カテキン濃度が10000ppmになるようにポリフェノールパウダーGTP90を秤量し、水で溶解し、カテキン水溶液を調整する。さらにクエン酸を0.1%加えて消臭剤成分Ａを調製した。ｐＨは２．８であった。
（消臭剤成分Ｂの調製）
炭酸ナトリウムを所定量秤量し、炭酸ナトリウム０．２重量%、水９９．８重量％とからなる消臭剤成分Ｂを得た。ｐＨは１１．２であった。
【００８１】
試験例１５  実施例９の二液型消臭剤の消臭効果
実施例９の二液型消臭剤の、メチルメルカプタン臭に対する消臭効果を次のように評価した。
（操作）  
300ml三角フラスコに精製水にて希釈した消臭試験液10m1、メチルメルカプタンナトリウム1.5%水溶液10μLを入れ、パラフィルムですばやく蓋をし、25℃に調整した恒温振とう水槽にて振とうさせた後、三角フラスコのパラフィルムに小さな穴をあけ、すばやくガス検知管を挿入し、ガス内に残存する悪臭成分である含イオウ化合物の濃度を測定する。
下記式により、消臭率を算出した。ただし、振とう時間を10分とし、精製水をブランクとする。
消臭率（％） ＝ １００ × ｛１ − （Ａ／Ｂ）｝
なお、上記式中、Ａは測定された悪臭成分濃度を示し、Ｂはコントロールでの測定された悪臭成分濃度を示す。コントロールは、精製水１０ｍＬを用いた。
測定結果を表５に示す。
【００８２】
表５    
0004781865.tif 000006